(57)【要約】【課題】箱型ティッシュペーパーを引き出す際に、埃が空中に多量に舞ってしまう。  本発明は、以上の問題点を解決するための箱型ティッシュペーパー取出口取付器具を提供する。【解決手段】コの字形または二の字形あるいはそれらに類する形の枠を設け、取出口から引き出されるティッシュペーパーが通るためのティッシュペーパーが落下することを防ぐ形態になっている溝がある板を設け、その溝がある板と枠が隙間を空けて接合されていることを特徴とする箱型ティッシュペーパー取出口取付器具。【選択図】図１
2018062385.tif 000002
【特許請求の範囲】
【請求項１】
コの字形または二の字形またはＵ字形またはＶ字形あるいはその他のそれらに類する形の枠を設け、取出口から引き出されるティッシュペーパーが通るための波形またはカーブ曲線形または鋭角でない角を成す二本の直線形または一部が狭くなっている一直線形または一部にティッシュペーパー落下防止弁が付いている一直線形またはそれらに類する形態あるいはその他の取出口からティッシュペーパーが落下することを防ぐ形態になっている溝がある板を設け、その溝がある板と枠が隙間を空けて接合されている箱型ティッシュペーパー取出口取付器具。
【請求項２】
請求項１の箱型ティッシュペーパー取出口取付器具におけるティッシュペーパーが通るための溝がある板が一体化されているティッシュペーパーケース。
【請求項３】
ティッシュペーパー取出口がボックスまたはケースの側面から反対側の側面まで続いており、その取出口の全てまたは一部の形が、波形またはゆるやかなカーブ曲線形またはゆるやかなジグザグ線形または鋭角でない角を成す二本の直線形または口の一部が狭くなっている一直線形または口の一部にティッシュペーパー落下防止弁が付いている一直線形またはそれらに類する形態あるいはその他の取出口からティッシュペーパーが落下することを防ぐ形態になっているティッシュペーパーボックスまたはティッシュペーパーケース。
【請求項４】
請求項１の箱型ティッシュペーパー取出口取付器具におけるティッシュペーパーが通るための溝がある板が一体化されている箱型ティッシュペーパーの外箱またはティッシュペーパーの外袋。
【請求項５】
ティッシュペーパー取出口が外箱または外袋の側面から反対側の側面まで続いており、その取出口の全てまたは一部の形が、波形またはゆるやかなカーブ曲線形またはゆるやかなジグザグ線形または鋭角でない角を成す二本の直線形または口の一部が狭くなっている一直線形または口の一部にティッシュペーパー落下防止弁が付いている一直線形またはそれらに類する形態あるいはその他の取出口からティッシュペーパーが落下することを防ぐ形態になっている箱型ティッシュペーパーの外箱またはティッシュペーパーの外袋。
【発明の詳細な説明】
【技術分野】
【０００１】  本発明は、箱型ティッシュペーパーの外箱の取出口に取り付ける器具に関するものである。
【背景技術】
【０００２】  従来から、紙でできた外箱にティッシュペーパーを入れ外箱の上面の取出口からティッシュペーパーを引き出すもの、いわゆる箱型ティッシュペーパーがある。
【先行技術文献】
【特許文献】
【０００３】  先行技術はない。
【発明の概要】
【発明が解決しようとする課題】
【０００４】  紙粉が舞いにくいように加工されたペーパーを使用していない安価な箱型ティッシュペーパーの取出口からティッシュペーパーを引き出す際には、ティッシュペーパーの紙粉が埃として空中に多量に舞ってしまう。
本発明は、以上の問題点を解決するためになされたものである。
【課題を解決するための手段】
【０００５】  コの字形または二の字形またはＵ字形またはＶ字形あるいはその他のそれらに類する形の枠を設け、取出口から引き出されるティッシュペーパーが通るための波形またはカーブ曲線形または鋭角でない角を成す二本の直線形または一部が狭くなっている一直線形または一部にティッシュペーパー落下防止弁が付いている一直線形またはそれらに類する形態あるいはその他の取出口からティッシュペーパーが落下することを防ぐ形態になっている溝がある板を設け、その溝がある板と枠が隙間を空けて接合されている。
以上の構成よりなる箱型ティッシュペーパー取出口取付器具。
【発明の効果】
【０００６】  紙粉が舞いにくいように加工されたペーパーを使用していない安価な箱型ティッシュペーパーの取出口からティッシュペーパーを引き出す際に埃として空中に舞ってしまうティッシュペーパーの紙粉を大きく減少させることができる。
【図面の簡単な説明】
【０００７】
【図１】コの字形の枠である場合の本発明を上面から見た図
【図２】コの字形の枠である場合の本発明を正面から見た図
【図３】コの字形の枠である場合の本発明を横から見た図
【図４】コの字形の枠である場合の本発明の取付時の斜視図
【図５】二の字形の枠である場合の本発明を上面から見た図
【図６】二の字形の枠である場合の本発明を正面から見た図
【図７】二の字形の枠である場合の本発明を横から見た図
【図８】二の字形の枠である場合の本発明の取付時の斜視図
【発明を実施するための形態】
【０００８】  以下、本発明の実施の形態を説明する。
（ア）ティッシュペーパーが通るための波形またはゆるやかなカーブ曲線形あるいはそれに類する形の溝（１）があり、厚みが薄く長方形をしたティッシュペーパー通し板（２）を設ける。
ティッシュペーパーが通るための溝は一直線形である場合もあり、その場合には溝の一部が極端に狭くなっているか、または一部に厚みが薄いティッシュペーパー落下防止弁が付いているか、または取り出し口の中央長線に対して０度や１８０度でない角度で設けられているか、あるいはそれらに類する形態であるなど、溝がティッシュペーパーが落下するのを防ぐ形態になっている。
ティッシュペーパーが通るための溝は、ゆるやかなジグザグ線形や鋭角でない角を成す二本の直線形、またはそれらに類する形態であるなど、ティッシュペーパーが取出口から落下することを防止するようなその他の形態である場合もある。
なお、いずれの形態の場合でも溝（１）の縁は摩擦が少なくなるよう断面が滑らかになっている。
（イ）コの字形または二の字形、あるいはＵ字形やＶ字形、その他それに類する形の枠（３）を設け、その枠（３）がティッシュペーパー通し板（２）と隙間を空けて二本の短い接合棒（４）で接合されている。
枠（３）の外縁は、ティッシュペーパー通し板（２）の外縁より小さくなっている。そのため、上方向から見ると、ティッシュペーパー通し板（２）が枠（３）の外縁から少しはみ出ている。
それらの接合棒（４）は、ティッシュペーパー通し板（２）の二つの角に近い位置で、かつ枠（３）の内側の縁に近い位置に設けられている。
接合棒（４）が設けられているティッシュペーパー通し板（２）の二つの角とは、その板の短辺の隣り合う二つの角である。
コの字形やＵ字形、Ｖ字形の枠の場合、コやＵやＶの字の開いている方向の二つの端で接合棒（４）によってティッシュペーパー通し板（２）に接合されている。
なお、ティッシュペーパー通し板（２）と枠（３）の隙間は、箱型ティッシュペーパーの外箱（８）の紙の厚さより少し大きい程度である。
（ウ）枠（３）の内側の縁には、箱型ティッシュペーパーの外箱（８）の紙を切り取るための細かいのこぎり状の歯（５）を設ける。
こののこぎり状の歯（５）は、歯先がティッシュペーパー通し板（２）に向かう方向になるように設ける。
なお、枠（３）の内側の縁の断面を鋭利にして、のこぎり状の歯（５）がなくても箱型ティッシュペーパーの外箱（８）の紙を切り取ることができるようにする場合もある。
（エ）本発明が箱型ティッシュペーパーの外箱（８）から脱落することがないよう、枠（３）の外側の側面に押さえ付け板（６）を設ける場合がある。
この押さえ付け板（６）は、弾力性があり、ティッシュペーパー通し板（２）に向かう方向に行こうとする力が働くような形状になっている。
また、本発明が外箱（８）から脱落するのを防ぐために、押さえ付け板（６）ではなく、ゴム等の帯や紐でできている取付バンドを、その取付バンドの両端がそれぞれ枠（３）の反対どうしの側面に付き取付バンドが輪状になるように設ける場合もある。
（オ）枠（３）が二の字形の場合には、枠（３）の内側の縁で切り取られた箱型ティッシュペーパーの外箱（８）の紙片が外箱（８）に付いたままになり邪魔になってしまう。
その切り取られた紙片を、箱型ティッシュペーパーの外箱の側面（取出口のある上面でもなく底面でもない面）に密着させておくための弾力性がある密着板（７）を設ける。
密着板（７）は二の字形の枠（３）の外側側面に設けられており、箱型ティッシュペーパーの外箱（８）の側面に向かう方向に行こうとする力が働くような形状になっている。
また、切り取られた紙片が邪魔にならないようにするため、密着板（７）以外の構造を用いる場合がある。
取出口（９）から本発明を差し込んだ際に取出口（９）の端から遠い方になる枠（３）の端に輪や突起を設け、そこに切り取られた紙片を折り曲げて差し入れて固定する構造がその一例である。
本発明は以上のような構造である。
本発明の使用方法は以下のとおりである。
（カ）本発明を、枠（３）が上に、ティッシュペーパー通し板（２）が下になるように持つ。この際には、ティッシュペーパー通し板（２）の接合棒（４）がない方の短辺が前方になるように持つ。
押さえ付け板（６）や密着板（７）が設けられている場合には、それらを反らすように二本または三本の指で持つ。
（キ）本発明を箱型ティッシュペーパーの外箱（８）の取出口（９）の端から差し込む。
差し込む際には、ティッシュペーパー通し板（２）の接合棒（４）がない方の短辺が前方になるように差し込む。
さらに、差し込む取出口の端から最も近く面積が小さい方の外箱の側面（取出口のある上面でもなく底面でもない面）に向かう方向に、できるだけ深く差し込む。
（ク）押さえ付け板（６）や密着板（７）が設けられている場合には、それらを反らすように持っていた指を離す。
押さえ付け板（６）や密着板（７）はもとの形状に戻ろうとし、その力によって本発明が箱型ティッシュペーパーの外箱（８）から脱落しないようになる。
（ケ）枠（３）の内側の縁に沿って箱型ティッシュペーパーの外箱（８）の紙を切り取る。
コの字形やＵ字形やＶ字形、あるいはそれに類する形の枠（３）の場合には、切り取った紙片を捨てる。
二の字形の枠（３）の場合には切り取った紙片が外箱（８）に付いたままになるので、邪魔にならないようその紙片を密着板（７）と外箱（８）の側面との間に挟み込む。
（コ）ティッシュペーパーを引き出す際には、従来どおり上に引き出すだけでよい。
ティッシュペーパーが引き出される際に、そのペーパーの両端が外箱の取出口（９）端部分または取出口（９）端部分を覆うビニール部分に触れないので、空中に舞う紙粉が大きく減少する。
さらに、ティッシュペーパー通し板（２）の溝（１）の形の効果により、ティッシュペーパーが残り少なくなった場合でも次に引き出されるペーパーが落下しない。
（サ）本発明については、外箱（８）の取出口（９）の両端にそれぞれ一つずつ、計二つを同時に使用すると、舞う紙粉を減少させる効果がさらに大きくなる
（シ）箱型ティッシュペーパーを使用する際、固い素材でできており直方体の形をしたティッシュペーパーボックスまたは柔らかい素材でできており直方体に似た形をしたティッシュペーパーケースを使用することが少なくない。
本発明のティッシュペーパー通し板が取出口端に一体化されている固い素材のティッシュペーパーボックスまたは柔らかい素材のティッシュペーパーケースのなかに、箱型ティッシュペーパーから取り出したティッシュペーパーの束を入れて使用することもでき、この場合でもティッシュペーパーを取出口から引き出す際に舞う紙粉を大きく減らすことができる。
なお、この場合、ティッシュペーパー通し板は薄い必要はない。
（ス）固い素材でできており直方体の形をしたティッシュペーパーボックスまたは柔らかい素材でできており直方体に似た形をしたティッシュペーパーケースの取出口がボックスまたはケースの側面から反対側の側面まで続いており、その取出口からティッシュペーパーが落下することを防止するような形態になっている場合がある。
その取出口の全てまたは一部の形が波形またはゆるやかなカーブ曲線形またはゆるやかなジグザグ線形または鋭角でない角を成す二本の直線形、あるいはその他のそれらに類する形である場合がその一例である。
さらに、その取り出し口の全てまた一部が一直線形であり、その一直線形の口の一部が極端に狭くなっていたり、またはその一部にティッシュペーパー落下防止弁が付いていたり、またはそれらに類する形態である場合がもう一つの例である。
いずれも形態の取出口であっても、取出口の縁の断面は摩擦が少なくなるよう滑らかになっており、取出口の口の幅は広くなっており、ティッシュペーパーを引き出す際に紙粉が舞いにくくなっている。
以上の場合であっても、ティッシュペーパーを取出口から引き出す際に舞う紙粉を大きく減らすことができる。
（セ）箱型ティッシュペーパーの外箱の取出口端に本発明のティッシュペーパー通し板が一体化している場合もある。
なお、ティッシュペーパーが箱でなくビニールのような柔らかい素材でできている直方体に似た形をした外袋に入っている場合であって、その外袋の取出口端に本発明のティッシュペーパー通し板が一体化している場合もある。
いずれの場合であってもティッシュペーパーを取出口から引き出す際に舞う紙粉を大きく減らすことができる。
（ソ）箱型ティッシュペーパーの外箱の取出口が（ス）で述べた形態である場合もある。
なお、ティッシュペーパーが箱でなくビニールのような柔らかい素材でできている直方体に似た形をした外袋に入っている場合であって、その外袋の取出口が（ス）で述べた形態である場合もある。
いずれの場合であってもティッシュペーパーを取出口から引き出す際に舞う紙粉を大きく減らすことができる。
【符号の説明】
【０００９】１  溝、２  ティッシュペーパー通し板、３  枠、４  接合棒、５  のこぎり状の歯、６  押さえ付け板、７  密着板、８  外箱、９  取出口
【図１】
2018062385.tif 000003
【図２】
2018062385.tif 000004
【図３】
2018062385.tif 000005
【図４】
2018062385.tif 000006
【図５】
2018062385.tif 000007
【図６】
2018062385.tif 000008
【図７】
2018062385.tif 000009
【図８】
2018062385.tif 000010